(57)【特許請求の範囲】
【請求項１】
上方に開口する箱状の容器本体と、
前記容器本体の開口部を閉鎖可能な蓋部材とを備え、
前記蓋部材の上面の外周側の部位には、前記蓋部材と前記容器本体とを結束するためのバンドを係止可能な係止凹部が形成されるとともに、
前記蓋部材の下面側には、前記蓋部材のうち前記係止凹部が形成された部位から下方に突出する凸部が、前記係止凹部に対応して複数箇所に設けられ、
前記容器本体の上辺部には、前記蓋部材の前記凸部を挿入可能な凹部が形成され、
前記容器本体には、前記凹部に挿入された前記凸部を前記容器本体の外側から視認不可能とする隔壁部が設けられており、当該隔壁部は、前記容器本体の外周の上面部まで延びるよう形成されていることを特徴とする蓋付き容器。
【発明の詳細な説明】
【技術分野】
【０００１】
本発明は、物品の運搬等に使用される蓋付き容器に関するものである。
【背景技術】
【０００２】
一般に、蓋付き容器は、上方に開口する箱状の容器本体と、容器本体の開口部を閉鎖する蓋部材とを備えている。また、蓋部材の位置ずれ等を防止するべく、容器本体と蓋部材とをバンドで結束するといった技術が知られている。さらに、バンドが蓋付き容器から脱落すること等を防止するべく、蓋部材及び容器本体に対してバンドが係止される凹部を形成するといった技術がある（例えば、特許文献１等参照。）。
【先行技術文献】
【特許文献】
【０００３】
【特許文献１】特開２０１０−１１１４０１号公報
【発明の概要】
【発明が解決しようとする課題】
【０００４】
しかしながら、上記特許文献１では、蓋部材に凹部を形成することに起因して、当該部位の強度の低下を招くおそれがあり、バンドで蓋付き容器を強く締め付けた場合等において、凹部やその周辺部等が変形したり損傷したりし易くなってしまうことが懸念される。
【０００５】
本発明は上記例示した問題点等を解決するためになされたものであって、その目的は、変形を防止しつつ、バンドによる容器本体と蓋部材との結束状態を確実に保持することのできる蓋付き容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．上方に開口する箱状の容器本体と、
前記容器本体の開口部を閉鎖可能な蓋部材とを備え、
前記蓋部材の上面の外周側の部位には、前記蓋部材と前記容器本体とを結束するためのバンドを係止可能な係止凹部が形成されるとともに、
前記蓋部材の下面側には、前記蓋部材のうち前記係止凹部が形成された部位から下方に突出する凸部が、前記係止凹部に対応して複数箇所に設けられ、
前記容器本体の上辺部には、前記蓋部材の前記凸部を挿入可能な凹部が形成され、
前記容器本体には、前記凹部に挿入された前記凸部を前記容器本体の外側から視認不可能とする隔壁部が設けられており、当該隔壁部は、前記容器本体の外周の上面部まで延びるよう形成されていることを特徴とする蓋付き容器。
【０００８】
手段１によれば、蓋部材のうち係止凹部が形成された部位に対応して凸部を形成することで、当該係止凹部が形成された部位の強度を高めることができる。従って、バンドを係止凹部に係止させた場合における係止凹部やその付近の変形・損傷等を抑制することができ、結果として、変形等に起因する各種不具合を回避することができる。
【０００９】
尚、前記凸部は、前記蓋部材の下面側において、前記係止凹部が形成された部位から、前記係止凹部が形成されていない部位にかけて形成されていることとしてもよい。この場合、係止凹部やその周辺の強度を向上させるといった作用効果が一層確実に奏される。
【００１１】
また、手段１によれば、蓋部材を容器本体に被せた場合に、蓋部材の凸部が容器本体の凹部に挿入されるため、容器本体の上辺部の全周域にわたって、蓋部材と容器本体とを上下に当接させることができる。従って、蓋部材と容器本体との間に隙間ができることを防止しつつ、容器本体の開口部をより確実に塞ぐことができる。また、例えば、凸部が容器本体よりも外周側に位置する（容器本体の外周側に蓋部材が被さる）場合のように、蓋付き容器の設置スペースが余分に必要になってしまったり、容器本体よりも外周側に突出した蓋部材に別の部材が接触して、蓋部材が浮き上がったり損傷したりしてしまうといった事態を防止することができる。
【００１２】
尚、蓋部材が容器本体に被せられるとともに、蓋部材と容器本体とにかけてバンドが装着された状態において、蓋部材の前記凸部と、容器本体の前記凹部とが上下に当接可能に構成されていることとしてもよい。この場合、バンドの装着により係止凹部の形成部位が下方に変位しようとしても、容器本体によってかかる変位が規制されることとなり、蓋部材の変形等をより確実に防止することができる。
【００１４】
さらに、手段１によれば、容器本体の開口部を蓋部材で閉鎖した状態において、蓋部材の凸部や容器本体の凹部を外部から視認不可能とすることができ、外観品質の向上を図ることができる。また、蓋部材の凸部と容器本体の凹部との間の隙間から埃等の異物が侵入してしまうといった事態を抑制することができる。さらに、凹部に対応する部位においても、容器本体の外周面を連続させることができ、（捻じれ等に対する）強度の向上等を図ることができる。
【図面の簡単な説明】
【００１５】
【図１】蓋付き容器を上面側から見た斜視図である。
【図２】蓋付き容器を下面側から見た斜視図である。
【図３】バンドで結束された蓋付き容器を上面側から見た斜視図である。
【図４】バンドで結束された蓋付き容器を下面側から見た斜視図である。
【図５】容器本体の斜視図である。
【図６】容器本体の斜視図である。
【図７】折り畳まれた状態の容器本体の斜視図である。
【図８】折り畳まれた状態の容器本体に蓋部材を被せた様子を示す斜視図である。
【図９】底壁部を上面側から見た斜視図である。
【図１０】底壁部を下面側から見た斜視図である。
【図１１】長辺側側壁部を分解して外面側から見た分解斜視図である。
【図１２】長辺側側壁部を分解して内面側から見た分解斜視図である。
【図１３】短辺側側壁部を分解して外面側から見た分解斜視図である。
【図１４】短辺側側壁部を分解して内面側から見た分解斜視図である。
【図１５】上枠を上面側から見た斜視図である。
【図１６】上枠を下面側から見た斜視図である。
【図１７】蓋部材を上面側から見た斜視図である。
【図１８】蓋部材を下面側から見た斜視図である。
【図１９】図１８のＪ部を示す拡大斜視図である。
【図２０】図３のＡ−Ａ線断面を含み、嵌入凸部及び嵌入凹部の付近を示す斜視図である。
【図２１】図３のＢ−Ｂ線断面を含む斜視図である。
【図２２】図２１のＫ部を示す拡大斜視図である。
【図２３】別の実施形態における嵌入凸部を示す斜視図である。
【図２４】別の実施形態における嵌入凹部近傍部位を示す斜視図である。
【発明を実施するための形態】
【００１６】
以下に、一実施形態について図面を参照して説明する。図１、図２に示すように、蓋付き容器１は、上方に開口する略四角箱状をなし、物品を収容可能な容器本体２と、容器本体２の開口部を閉鎖可能な蓋部材３とを備えている。本実施形態の容器本体２及び蓋部材３は、それぞれポリプロピレンにより構成されている。
【００１７】
図５に示すように、容器本体２は、略矩形板状の底壁部１１と、底壁部１１の相対する一対の長辺部に対応してそれぞれ設けられた長辺側側壁部１２と、底壁部１１の相対する一対の短辺部に対応してそれぞれ設けられた短辺側側壁部１３と、長辺側側壁部１２及び短辺側側壁部１３の上辺部に沿って設けられた四角枠状の上枠１４とを備えている。
【００１８】
また、本実施形態の容器本体２は折り畳み可能に構成されている。すなわち、長辺側側壁部１２は、図１１、図１２に示すように、底壁部１１の長辺部に対して回動可能に連結される下壁部１５と、上枠１４の長辺部に対して回動可能に連結される上壁部１６とを備え、下壁部１５の上辺部と上壁部１６の下辺部とが回動可能に連結されている。本実施形態では、図６に示すように、上壁部１６と下壁部１５との連結部を容器本体２の内周側に押し込むように押圧することで、上壁部１６の外面と下壁部の外面とを合わせるようにして長辺側側壁部１２を折り畳み可能になっている。
【００１９】
図１３、図１４等に示す短辺側側壁部１３は、上枠１４の短辺部に対して回動可能に連結されている。本実施形態では、短辺側側壁部１３を容器本体２の内周側に押し込むように押圧することで、図６等に示すように、短辺側側壁部１３を水平に延在するまで回動可能になっている。また、短辺側側壁部１３の横幅は、一対の長辺側側壁部１２間の距離とほぼ同じであり、容器本体２の組立状態では一対の長辺側側壁部１２の間に位置している上、短辺側側壁部１３と上枠１４との回転軸は、長辺側側壁部１２と上枠１４との回転軸よりも上方に位置している。このため、組立状態にある容器本体２は、先ず、一対の短辺側側壁部１３を容器本体２の内側に押圧して水平に延在するまで回動させてから、一対の長辺側側壁部１２を折り曲げることで、折り畳むことができるようになっている（図６、図７参照）。尚、容器本体２の組立状態において、短辺側側壁部１３と底壁部１１とを係止させたり、短辺側側壁部１３と長辺側側壁部１２とを係止させたりする係止手段を設けることとしてもよい。
【００２０】
図１５、図１６に示すように、上枠１４は、一対の長辺側側壁部１２にそれぞれ連結される一対の長辺部（以下、「長辺側枠構成部１７」と称する）と、一対の短辺側側壁部１３にそれぞれ連結される一対の短辺部（以下、「短辺側枠構成部１８」と称する）とを備え、上枠１４の外寸は、底壁部１１の外寸とほぼ等しくなっている。また、容器本体２の組立状態では、長辺側側壁部１２及び短辺側側壁部１３の内面と、上枠１４の内周面とがほぼ面一となるように構成されている（図５参照）。加えて、長辺側側壁部１２及び短辺側側壁部１３は、容器本体２の組立状態であっても、上枠１４や底壁部１１の外周縁よりも外周側には突出しないように構成されている。また、容器本体２の折り畳み状態では、折り畳まれた長辺側側壁部１２と、その上方に重なる短辺側側壁部１３とが上枠１４の内周側に収容されるとともに、底壁部１１と上枠１４とが上下に直接当接するように構成されている（図７参照）。
【００２１】
図１０に示すように、底壁部１１の下面側には、底壁部１１のうち、容器本体２を平面視した場合に上枠１４よりも内周側に位置する範囲から下方に突出する格子状の支持リブ１９が設けられている。そして、容器本体２を床面に設置した場合には、支持リブ１９の下縁部が床面に接地し、容器本体２が支持される構成となっている。また、蓋部材３が被せられていない状態の容器本体２の上方に別の容器本体２を積み重ねた場合、上側の容器本体２の支持リブ１９が、下側の容器本体２の上枠１４の内周側に進入するとともに、上側の容器本体２の底壁部１１の下面の外周部が、下側の容器本体２の上枠１４の上面に支持されるようになっている。これにより、容器本体２同士を、水平方向への位置ずれを防止しつつ、上下に積み重ねる（段積みする）ことができるようになっている。
【００２２】
尚、本実施形態では、容器本体２が折り畳まれた状態において、短辺側側壁部１３の内面（上側を向く面）と上枠１４上面との間の上下方向における距離が、支持リブ１９の突出長以上となっている。このため、容器本体２は、組み立てられた状態だけでなく、折り畳まれた状態でも、容器本体２同士を段積みすることができるようになっている。
【００２３】
図１７、図１８に示すように、蓋部材３は、略矩形板状の蓋本体２１と、蓋本体２１の外周縁全周域から上方に突出する蓋枠部２２とを備え、これらが一体的に形成されている。また、蓋部材３は、容器本体２とは別体として構成され、容器本体２に対して着脱自在に装着されている。蓋枠部２２は、蓋本体２１の外周縁から上方に延びる内壁部２３と、内壁部２３の上縁から蓋本体２１の外周側に延びる天壁部２４と、天壁部２４の先端縁から下方に延びる外壁部２５とを備え、下方に開口する断面略コ字状をなしている。また、蓋枠部２２は、内壁部２３と外壁部２５との間を蓋本体２１の周方向において所定間隔毎に連結する補強壁部２６（図１８参照）を備えている。
【００２４】
さらに、蓋枠部２２は、蓋本体２１の各長辺部に沿って延びる相対する一対の長辺側突条部３１と、蓋本体２１の各短辺部に沿って延びる相対する一対の短辺側突条部３２とを備えている。加えて、蓋枠部２２の外寸、すなわち、蓋部材３の外寸は、上枠１４の外寸とほぼ同じとなっている。このため、図１等に示すように、容器本体２に蓋部材３を被せた状態では、蓋枠部２２、すなわち蓋部材３の外周面と、上枠１４の外周面とがほぼ面一となるように構成されている。
【００２５】
また、図２１等に示すように、蓋枠部２２の内寸は、上枠１４の内寸とほぼ等しくなっている上、蓋枠部２２の突出長は、支持リブ１９の突出長以上となっている。このため、蓋部材３の上方に、容器本体２を積み重ねた場合、上側の容器本体２の支持リブ１９が、下側の蓋部材３の蓋枠部２２の内周側に進入するとともに、上側の容器本体２の底壁部１１の下面の外周部が、下側の蓋部材３の蓋枠部２２の上面（天壁部２４）に支持されるようになっている。これにより、容器本体２に蓋部材３が被せられた状態の蓋付き容器１同士を段積みすることができるようになっている。
【００２６】
さらに、蓋本体２１には、各長辺側突条部３１に沿ってそれぞれ下方に突出する長辺側下凸部３４と、各短辺側突条部３２に沿ってそれぞれ下方に突出する短辺側下凸部３５とが設けられている。そして、蓋部材３を容器本体２に被せることで、上枠１４の内周側に長辺側下凸部３４及び短辺側下凸部３５が進入するとともに、蓋枠部２２の下縁部が上枠１４の上面に当接して支持されるようになっている。これにより、容器本体２の開口部を閉鎖した蓋部材３の水平方向への位置ずれを防止することができる。尚、長辺側下凸部３４及び短辺側下凸部３５の突出長は、底壁部１１の支持リブ１９の突出長と同程度であり、本実施形態では、図８に示すように、蓋部材３を被せた状態のまま、容器本体２を折り畳むことができるようになっている。
【００２７】
尚、長辺側下凸部３４及び短辺側下凸部３５は、蓋本体２１を下方に凹ませることで下方に突出形成されているが、強度の低下を抑制するべく、長辺側下凸部３４を形成するための凹部と、短辺側下凸部３５を形成するための凹部とは不連続とされ、相互に離間している。また、図１７に示すように、短辺側下凸部３５を形成するための凹部の内側には、容器本体２に被せられた蓋部材３と容器本体２とを係合させるためのロック部材３７がスライド可能に設けられている。
【００２８】
さて、本実施形態では、図３、図４に示すように、容器本体２と蓋部材３とがバンド５（本例では、伸縮自在なゴムバンド）で結束された状態で運搬・保管される場合がある。これに対応して、蓋部材３には、図１７等に示すように、各長辺側突条部３１において、バンド５が係止される蓋側係止凹部４１が形成されている。本実施形態では、２本のバンド５を装着するべく、蓋側係止凹部４１が各長辺側突条部３１において２つずつ形成されている。また、一対の長辺側突条部３１の一方及び他方に形成された蓋側係止凹部４１は互いに蓋部材３の短手方向において対向位置に設けられている。
【００２９】
蓋枠部２２のうち蓋側係止凹部４１が形成された部位においては、蓋枠部２２の内周側と外周側とが連通している。また、蓋側係止凹部４１のうちバンド５と面で当接する底面は、蓋本体２１の上面と平行に延びており、本実施形態では、蓋本体２１の上面と同じ高さ位置となっている。さらに、蓋側係止凹部４１の横幅（長辺側突状部３１の長手方向における幅）を画定する左右一対の側壁部４１ａは、天壁部２４から下方に向けて蓋側係止凹部４１の横幅方向中央部側に傾斜して延びており、蓋側係止凹部４１全体としては下方に向けて次第に幅が狭くなるテーパ状をなしている。
【００３０】
また、図２、図９等に示すように、底壁部１１のうち蓋側係止凹部４１と上下に対応する位置には、底壁部１１の側面と下面とのコーナー部を抉るようにして形成された本体側係止凹部４２が設けられている。そして、バンド５を蓋側係止凹部４１と本体側係止凹部４２とに係止させるようにして装着することによって、バンド５の位置ずれが防止されるようになっている。
【００３１】
また、各蓋側係止凹部４１の下方には、下方に突出する嵌入凸部４５が形成されている。図１９、図２０に示すように、嵌入凸部４５は、蓋部材３の外周方向において対向配置される一対の板部４５ａと、一対の板部４５ａ間を連結する連結部４５ｂとを備えている。板部４５ａは下方に向けて次第に幅が狭くなる台形状をなしており、本実施形態では、板部４５ａの両側辺部が、蓋側係止凹部４１の横幅を画定する側壁部４１ａのうち、蓋側係止凹部４１を画定する面とは反対側の裏面を下方に延長させた仮想直線上に延びる（板部４５ａの両側辺部と側壁部４１ａの裏面とが面一となる）ように構成されている。つまり、板部４５ａは、一対の側壁部４１ａのうち一方の下端部から他方の下端部にかけて延設されている。加えて、一対の板部４５ａのうち蓋部材３の内周側に位置する板部４５ａは、長辺側下凸部３４から一体的に膨出形成されている。また、一対の板部４５ａのうち蓋部材３の外周側に位置する板部４５ａは、蓋枠部２２の外壁部２５よりも内周側に設けられている。
【００３２】
また、図５等に示すように、上枠１４には、蓋部材３を容器本体２に被せた場合に、嵌入凸部４５が挿入（嵌入）される嵌入凹部４６が形成されている。嵌入凹部４６は、嵌入凸部４５の形状に対応して、下方に向けて幅が次第に狭くなる台形状をなしている。本実施形態では、図２０、図２２等に示すように、蓋部材３が容器本体２に被せられるとともに、蓋部材３と容器本体２とにかけてバンド５が装着された状態において、蓋部材３の嵌入凸部４５の下端部と、容器本体２の嵌入凹部４６の底面とが上下に当接可能に構成されている。さらに、嵌入凹部４６は、上枠１４の長辺側枠構成部１７の外面よりも上枠１４の内周側に形成されており、嵌入凹部４６の上枠１４の外周側には、嵌入凹部４６に挿入された嵌入凸部４５を視認不可能とする隔壁部４８（図５等参照）が形成されている。
【００３３】
以上詳述したように、本実施形態によれば、蓋部材３のうち蓋側係止凹部４１が形成された部位に対応して嵌入凸部４５を形成することで、蓋側係止凹部４１が形成された部位の強度を向上させることができる。従って、バンド５を蓋側係止凹部４１に係止させた場合における蓋側係止凹部４１やその付近の変形・損傷等を抑制することができ、結果として、変形等に起因する各種不具合を回避することができる。特に、本実施形態では、嵌入凸部４５の板部４５ａが蓋側係止凹部４１の横幅を画定する左右一対の側壁部４１ａの下端部間にかけて設けられている上、嵌入凸部４５が長辺側下凸部３４とも連結されているため、かかる作用効果が一層確実に奏される。
【００３４】
また、蓋部材３を容器本体２に被せた場合に、蓋部材３の嵌入凸部４５が容器本体２の嵌入凹部４６に挿入されるため、容器本体２の上辺部の全周域にわたって、蓋部材３と容器本体２とを上下に当接させることができる。従って、蓋部材３と容器本体２との間に隙間ができることを防止しつつ、容器本体２の開口部をより確実に塞ぐことができる。また、嵌入凹部４６を形成することで、嵌入凸部４５を容器本体２よりも外周側に突出させたりしなくても済み、本実施形態では、蓋部材３の外周面と、上枠１４の外周面とがほぼ面一となるように構成されている。当該構成によって、水平方向における省スペース化を図りつつ、複数の蓋付き容器１を並べた場合に、上枠１４よりも外周側に張出した蓋部材３同士が圧接してしまって、蓋部材３が浮き上がったり変形したりしてしまう等の不具合を回避することができる。
【００３５】
さらに、本実施形態では、上枠１４には、蓋部材３を容器本体２に被せた状態において、嵌入凸部４５の外面に対向して、当該嵌入凸部４５を外側から視認不可能とする隔壁部４８が設けられている。従って、容器本体２に蓋部材３を被せた状態において、嵌入凸部４５や嵌入凹部４６が見えなくなることから、外観品質の向上を図ることができる。また、嵌入凸部４５と嵌入凹部４６との間の隙間から埃等の異物が侵入してしまうといった事態を抑制することができる。加えて、嵌入凹部４６に対応する部位においても、上枠１４の外周面を連続させることができ、（捻じれ等に対する）強度の向上等を図ることができる。
【００３６】
また、蓋部材３が容器本体２に被せられるとともに、蓋部材３と容器本体２とにかけてバンド５が装着された状態において、蓋部材３の嵌入凸部４５の下端部と、容器本体２の嵌入凹部４６の底面とが上下に当接可能に構成されている。このため、バンド５の装着により蓋側係止凹部４１の形成部位が下方に変位しようとしても、上枠１４に形成された嵌入凹部４６の底面によってかかる変位が規制されることとなり、蓋部材３の変形等をより確実に防止することができる。
【００３７】
加えて、嵌入凸部４５は下方に向けて次第に幅が狭くなる略テーパ状に形成されているため、蓋部材３を容器本体２に被せる際に、蓋部材３が嵌入凸部４５のテーパ面によって適正位置に案内されることとなり、作業性の向上等を図ることができる。さらに、蓋側係止凹部４１は、蓋部材３を側面視した場合に、下方に向けて次第に幅が狭くなる略テーパ状をなしている。これにより、嵌入凸部４５を蓋側係止凹部４１の両側壁部４１ａ間にかけて設けたとしても、嵌入凸部４５の幅を蓋側係止凹部４１の幅以下とすることができ、蓋部材３同士を好適に段積み可能とすることができる。
【００３８】
尚、上記実施形態の記載内容に限定されず、例えば次のように実施してもよい。勿論、以下において例示しない他の応用例、変更例も当然可能である。
【００３９】
（ａ）上記実施形態では、容器本体２が折り畳み可能な蓋付き容器１に具体化されているが、折り畳むことのできない容器本体を具備する蓋付き容器に適用することも可能である。また、上記実施形態では、容器本体２は、上枠１４を備えるとともに、長辺側側壁部１２の上下方向中間位置が内側に屈曲する折り畳み式の容器であったが、別の折り畳み式の容器（上枠１４がなく、長辺側側壁部１２が上下方向中間位置で屈曲せず、長辺側側壁部１２及び短辺側側壁部１３が底壁部１１に回動可能に連結されて底壁部１１の上方に重ねて折り畳むことのできる折り畳み容器）を採用してもよい。
【００４０】
（ｂ）上記実施形態では、蓋部材３及び底壁部１１の長辺部側に蓋側係止凹部４１及び本体側係止凹部４２が設けられているが、これに代えて、又は、加えて、蓋部材３及び底壁部１１の短辺部側に蓋側係止凹部４１及び本体側係止凹部４２を設けることとしてもよい。また、蓋側係止凹部４１及び本体側係止凹部４２の数や位置は特に限定されるものではなく、容器の種類毎に適宜設定可能である。加えて、本体側係止凹部４２については省略することも可能である。
【００４１】
さらに、上記実施形態では、容器本体２に蓋部材３を被せた状態の蓋付き容器１同士を段積み可能とするべく、蓋部材３の外周部において蓋枠部２２を上方に突出させているが、例えば、蓋部材３全体をほぼ同じ厚みとして（蓋部材３の上面をほぼ平坦面として）もよい。また、上記実施形態では、蓋部材３に長辺側下凸部３４及び短辺側下凸部３５が形成されているが、これらを省略するとともに、嵌入凸部４５を嵌入凹部４６に嵌入させることによって、蓋部材３の水平方向への位置ずれを防止するように構成してもよい。尚、当該構成を採用する場合、嵌入凸部４５の板部４５ａの側辺部や嵌入凹部４６の側面の傾斜角度を鉛直方向に近くして、位置ずれ防止の効果を高めるように構成してもよい。
【００４２】
（ｃ）上記実施形態において、図２３に示すように、嵌入凸部４５の強度の向上を図るべく、一対の連結部４５ｂの間に補強リブ５１を設けることとしてもよい。さらに、図２４に示すように、嵌入凹部４６の強度の向上を図るべく、上枠１４のうち嵌入凹部４６の下方位置等において補強リブ５２を設けることとしてもよい。さらに、上記補強リブ５１と補強リブ５２とが同一鉛直線上に配置されるように構成してもよい。このように構成することで、バンド５装着時の蓋部材３側及び容器本体２側双方の強度のより一層の向上を図ることができる。尚、嵌入凸部４５の形状や大きさ等は特に限定されるものではなく、例えば、蓋側係止凹部４１の形成部位から下方に突出する突起が嵌入凸部４５に相当するように構成してもよい。
【００４３】
また、上記実施形態では、嵌入凸部４５が蓋側係止凹部４１を画定する一対の側壁部４１ａの延長線よりも下方にはみ出さないように構成されているが、嵌入凸部４５をより幅広に形成する等して、はみ出すように構成してもよい。さらに、当該構成を採用する場合、例えば、蓋部材３同士を水平に９０度回転させた姿勢で積み重ねると、上側の蓋部材３の長辺側下凸部３４が下側の蓋部材３の蓋側係止凹部４１の内側に進入するとともに、上側の蓋部材３の嵌入凸部４５が下側の蓋部材３の長辺側突条部３１の外面に当接して係止されるように（クロス積み可能に）構成してもよい。
【００４４】
（ｄ）上記実施形態では、容器本体２の外側からでは嵌入凹部４６が視認できないように構成されているが、隔壁部４８を省略する、又は、隔壁部４８を上枠１４の内周面側に設けることで嵌入凹部４６を外側から視認可能に構成してもよい（但し、参考例）。但し、上枠１４の嵌入凹部４６付近の強度（捻じれ強度など）を向上させたり、埃等の蓋付き容器１内への侵入を防止したりする等の観点から隔壁部４８を設けることが望ましく、さらに、外観品質の向上等の観点から、隔壁部４８を上枠１４の外周側に設けることが望ましい。
【００４５】
（ｅ）上記実施形態では、蓋枠部２２（蓋部材３）の外周面と、容器本体２の上枠１４の外周面とが略面一となっているが、例えば、蓋部材３が上枠１４の外周側に嵌るような構成としてもよい。但し、蓋部材３が容器本体２よりも外周側にはみ出してしまうと、設置スペースを余分に必要としたり、蓋部材３が損傷し易くなったりするおそれがあるため、上記実施形態のように面一とするか、蓋部材３を上枠１４の外周面よりも内周側に収めるかすることが望ましい。また、例えば、嵌入凸部４５を上枠１４の内周面よりも内周側に位置させることも考えられるが、その場合、蓋側係止凹部４１のうち蓋部材３の外周側の縁部と嵌入凸部４５とが離間しすぎてしまい、嵌入凸部４５によって蓋側係止凹部４１の形成部位を好適に補強することができないおそれがあるため、上記実施形態のように、嵌入凸部４５が嵌入凹部４６に挿入される構成とすることが望ましい。
【００４６】
（ｆ）上記実施形態では、蓋付き容器１はポリプロピレンにより構成されているが、ポリエチレン、ＰＥＴ、ポリアミド等その他の樹脂材料により構成されることとしてもよい。また、上記実施形態では、バンド５が伸縮自在なゴムバンドによって構成されているが、合成樹脂からなるとともに、バックル等を備えたバンドを採用してもよいし、平たい帯状のものではなく紐状（綱状）のものでもよい。
【符号の説明】
【００４７】
１…蓋付き容器、２…容器本体、３…蓋部材、５…バンド、１１…底壁部、１４…上枠、２１…蓋本体、２２…蓋枠部、４１…蓋側係止凹部、４１ａ…側壁部、４２…本体側係止凹部、４５…嵌入凸部、４６…嵌入凹部、４８…隔壁部。
【図１】
0005797520.tif 000002
【図２】
0005797520.tif 000003
【図３】
0005797520.tif 000004
【図４】
0005797520.tif 000005
【図５】
0005797520.tif 000006
【図６】
0005797520.tif 000007
【図７】
0005797520.tif 000008
【図８】
0005797520.tif 000009
【図９】
0005797520.tif 000010
【図１０】
0005797520.tif 000011
【図１１】
0005797520.tif 000012
【図１２】
0005797520.tif 000013
【図１３】
0005797520.tif 000014
【図１４】
0005797520.tif 000015
【図１５】
0005797520.tif 000016
【図１６】
0005797520.tif 000017
【図１７】
0005797520.tif 000018
【図１８】
0005797520.tif 000019
【図１９】
0005797520.tif 000020
【図２０】
0005797520.tif 000021
【図２１】
0005797520.tif 000022
【図２２】
0005797520.tif 000023
【図２３】
0005797520.tif 000024
【図２４】
0005797520.tif 000025